(57)【要約】【課題】飼い主の手間を軽減すると共に、餌部材が取り出されてしまう可能性を低減することが可能なペット用歯ブラシを提供する。【解決手段】ペット用歯ブラシ１は、内部に餌又は臭いを発する餌部材を収納する餌収納部位２１と、餌収納部位２１の外周側においてペットが噛むための歯垢除去部２２とを備えたペット用歯ブラシ１であって、餌収納部位２１は、第１部材１１と第２部材１２とを連結することによって形成され、且つ、内側に向かって伸びて餌部材を挟持固定するためのブラシが形成されている。【選択図】図３
2015043925.tif 000002
【特許請求の範囲】
【請求項１】
内部に餌又は臭いを発する餌部材を収納する餌収納部位と、前記餌収納部位の外周側においてペットが噛むための歯垢除去部とを備えたペット用歯ブラシであって、
前記餌収納部位は、少なくとも２部品を連結することによって形成され、且つ、内側に向かって伸びて前記餌部材を挟持固定するためのブラシが形成されている
ことを特徴とするペット用歯ブラシ。
【請求項２】
前記歯垢除去部は、ブラシにより構成されている
ことを特徴とする請求項１に記載のペット用歯ブラシ。
【請求項３】
前記少なくとも２部品は、長尺棒状の部材を中心にして、その外周側にブラシが伸びて形成された外形略円柱形状の部位を有し、
前記外形略円柱形状の側面同士が接触するように連結された際に、互いのブラシが接触する側が前記餌収納部位となる
ことを特徴とする請求項２に記載のペット用歯ブラシ。
【請求項４】
前記少なくとも２部品を連結して固定する固定具をさらに備え、
前記固定具がブラシにより構成されている
ことを特徴とする請求項３に記載のペット用歯ブラシ。
【請求項５】
前記固定具は、外形略円柱形状の上面及び下面となる端面に取り付けられている
ことを特徴とする請求項４に記載のペット用歯ブラシ。
【発明の詳細な説明】
【技術分野】
【０００１】
本発明は、ペット用歯ブラシに関する。
【背景技術】
【０００２】
従来、犬や猫などのペットの歯垢を除去するペット用歯ブラシが知られている。このようなペット用歯ブラシには、飼い主の手に装着してペットの歯をブラッシングするものがあるが、飼い主自らがブラッシングする手間を要するため、この手間を軽減することが望まれている。
【０００３】
そこで、天然ゴムを主原料としたドーナツ形状の中空リングの中空部に餌や臭いを発する餌部材を投入可能としたペット用歯ブラシが提案されている。このペット用歯ブラシによれば、ペット自らが餌部材の臭いに惹かれて天然ゴム部分を噛むこととなり、飼い主自らがブラッシングすることなく、ペットの歯垢を除去することができる（特許文献１参照）。
【０００４】
なお、特許文献１に記載のペット用歯ブラシでは、ドーナツ形状の最外周側となる位置に餌取出口が形成されている。そして、飼い主が餌取出口を広げて餌部材を投入すれば、広げられた餌投入口は自然に復帰して閉じられることとなる。
【先行技術文献】
【特許文献】
【０００５】
【特許文献１】特開２０１０−１１９３４６号公報
【発明の概要】
【発明が解決しようとする課題】
【０００６】
しかし、特許文献１に記載のペット用歯ブラシでは、餌取出口を広げて餌部材を投入する構造となっている関係上、ペットがペット用歯ブラシを噛んだ際に餌取出口が広げられて、餌部材が取り出されてしまう可能性がある。特に、餌が取り出されてしまった場合、歯磨き中に餌がペットに与えられることとなり、そもそもの歯ブラシとしての意味を為さなくなってしまう。
【０００７】
本発明はこのような従来の課題を解決するためになされたものであり、その目的とするところは、飼い主の手間を軽減すると共に、餌部材が取り出されてしまう可能性を低減することが可能なペット用歯ブラシを提供することにある。
【課題を解決するための手段】
【０００８】
本発明のペット用歯ブラシは、内部に餌又は臭いを発する餌部材を収納する餌収納部位と、前記餌収納部位の外周側においてペットが噛むための歯垢除去部とを備えたペット用歯ブラシであって、前記餌収納部位は、少なくとも２部品を連結することによって形成され、且つ、内側に向かって伸びて前記餌部材を挟持固定するためのブラシが形成されていることを特徴とする。
【０００９】
本発明のペット用歯ブラシによれば、内部に餌部材を収納する餌収納部位を備えるため、餌収納部位から漏れだす臭いによりペットを惹くことができ、ペットがペット用歯ブラシを噛むことから、飼い主自らがブラッシングすることなく、飼い主の手間を軽減することができる。
【００１０】
また、餌収納部位は、内側に向かって伸びて餌部材を挟持固定するためのブラシが形成されているため、餌部材はブラシによって複数点にて挟持固定されることとなり、餌部材の移動を抑えることができる。特に、ブラシにて挟持固定することから、ブラシが餌部材に食い込む作用も期待でき、一層餌部材の移動を抑えることができる。
【００１１】
従って、飼い主の手間を軽減すると共に、餌部材が取り出されてしまう可能性を低減することができる。
【００１２】
また、本発明のペット用歯ブラシにおいて、歯垢除去部は、ブラシにより構成されていることが好ましい。
【００１３】
このペット用歯ブラシによれば、餌収納部位の外周側の歯垢除去部がブラシにより構成されているため、ペットが噛むと予測される餌収納部位の外側をブラシにより構成することとなり、ブラシによる歯垢除去効果の向上を図ることができる。さらに、餌収納部位と、その外周側の歯垢除去部とがブラシにて形成されることから、ブラシの隙間を通じて餌部材から臭いを発することができ、餌部材の臭いを好適に発することができる。
【００１４】
また、本発明のペット用歯ブラシにおいて、前記少なくとも２部品は、長尺棒状の部材を中心にして、その外周側にブラシが伸びて形成された外形略円柱形状の部位を有し、前記外形略円柱形状の側面同士が接触するように連結された際に、互いのブラシが接触する側が前記餌収納部位となることが好ましい。
【００１５】
このペット用歯ブラシによれば、少なくとも２部品は、長尺棒状の部材を中心にして、その外周側にブラシが伸びて形成された外形略円柱形状の部位を有し、外形略円柱形状の側面同士が接触するように連結された際に、互いのブラシが接触する側が餌収納部位となる。このように構成されるため、ブラシで構成される餌収納部位と、ブラシで構成される歯垢除去部とを比較的容易に形成することができる。
【００１６】
また、本発明のペット用歯ブラシにおいて、前記少なくとも２部品を連結して固定する固定具をさらに備え、前記固定具がブラシにより構成されていることが好ましい。
【００１７】
このペット用歯ブラシによれば、少なくとも２部品を連結して固定する固定具がブラシにより構成されているため、たとえペットが歯垢除去部を噛まずに固定具を噛んだとしても、固定具によっても歯垢除去効果を期待することができる。
【００１８】
また、本発明のペット用歯ブラシにおいて、前記固定具は、外形略円柱形状の上面及び下面となる端面に取り付けられていることが好ましい。
【００１９】
このペット用歯ブラシによれば、固定具は、外形略円柱形状の上面及び下面となる端面に取り付けられているため、歯垢除去部を固定具にて覆うことがなく、歯垢除去効果の低下を抑制することができる。
【発明の効果】
【００２０】
本発明によれば、飼い主の手間を軽減すると共に、餌が取り出されてしまう可能性を低減することが可能なペット用歯ブラシを提供することができる。
【図面の簡単な説明】
【００２１】
【図１】本実施形態に係るペット用歯ブラシの正面図である。
【図２】本実施形態に係るペット用歯ブラシの一部構成を示す図であり、（ａ）は概略図であり、（ｂ）は（ａ）のＡ−Ａ断面図である。
【図３】本実施形態に係るペット用歯ブラシの概念図である。
【図４】本実施形態に係るペット用歯ブラシの断面図であり、餌部材の収納状態を示している。
【図５】第２実施形態に係るペット用歯ブラシを示す正面図である。
【図６】第３実施形態に係るペット用歯ブラシを示す正面図であって、分解状態を示している。
【発明を実施するための形態】
【００２２】
以下、本発明の好適な実施形態を図面に基づいて説明するが、本発明は以下の実施形態に限られるものではない。
【００２３】
図１は、本実施形態に係るペット用歯ブラシの正面図であり、図２は、本実施形態に係るペット用歯ブラシの一部構成を示す図であり、（ａ）は概略図であり、（ｂ）は（ａ）のＡ−Ａ断面図である。図１に示すように、本実施形態に係るペット用歯ブラシ１は、第１部材１１と、第２部材１２と、紐２０とによって構成され、第１部材１１と第２部材１２とが紐２０によって連結されることにより構成されている。
【００２４】
第１及び第２部材１１，１２は、ストレート部１１ａ，１２ａと、拡大部１１ｂ，１２ｂとから構成されている。ストレート部１１ａ，１２ａは、長尺棒状の部材１３を中心にして、その外周側にブラシ１４が伸びて形成された外形が略円柱形状となる部位である。拡大部１１ｂ，１２ｂは、ストレート部１１ａ，１２ａの両端に設けられた部位であり、ストレート部１１ａ，１２ａと同様にブラシ１４により構成されている。このストレート部１１ａ，１２ａと拡大部１１ｂ，１２ｂとにより、全体形状が犬が好む骨形状となるようにされている。
【００２５】
図２（ａ）に示すように、尺棒状の部材１３は、２本の長尺な鋼材が互いに螺旋状に噛み合うように捩られることによって構成され、ブラシ１４は、ペットのブラッシングが適切に行われる硬さを有している。
【００２６】
具体的に上記の第１及び第２部材１１，１２を作成するには、まず、ブラシ１４の素材となる所定の硬さを有した毛を、２本の長尺な鋼材によって挟み込む。このとき、鋼材の長手方向と毛の長手方向とは直交する関係となる。そして、このような状態から２本の鋼材を長手方向を軸にして複数回捩る。これにより、第１及び第２部材１１，１２が作成される。なお、２本の鋼材については端部が曲げられることにより、拡大部１１ｂ，１２ｂが形成される。
【００２７】
また、図２（ｂ）に示すように、第１及び第２部材１１，１２は、互いに接触する側に平面部１１ｃ，１２ｃが形成されている。平面部１１ｃ，１２ｃは、ストレート部１１ａ，１２ａから拡大部１１ｂ，１２ｂに亘って形成されており、上記の如く作成された第１及び第２部材１１，１２のうち、互いに接触する側（すなわち内側）のブラシ１４を一部カットすることにより形成されている。
【００２８】
また、第１及び第２部材１１，１２は、ストレート部１１ａ，１２ａを紐２０によって縛られることにより、互いに連結されることとなる。この際、第１及び第２部材１１，１２は、平面部１１ｃ，１２ｃが一致するように連結されることとなる。
【００２９】
図３は、本実施形態に係るペット用歯ブラシ１の概念図である。上記のように構成されたペット用歯ブラシ１は、図３に示すように、餌収納部位２１と歯垢除去部２２とを備えることとなる。
【００３０】
図３に示すように、餌収納部位２１は、ストレート部１１ａ，１２ａのうち互いの接触側（すなわち内側）の部位である。このような餌収納部位２１は、内部に餌又は臭いを発する餌部材を収納する構成となっている。
【００３１】
図４は、本実施形態に係るペット用歯ブラシ１の断面図であり、餌部材の収納状態を示している。図４に示すように、餌収納部位２１は、外形略円柱形状となる第１及び第２部材１１，１２の側面（平面部１１ｃ，１２ｃ）同士が接触するように連結されることによって形成され、餌部材３０は上記平面部１１ｃ，１２ｃに挟持固定される。すなわち、餌部材３０は、内側に向かって伸びるブラシ１４のそれぞれの毛によって複数点にて支持されることとなり、餌部材３０の移動が抑えられることとなる。特に、ブラシ１４にて挟持固定することから、ブラシ１４が餌部材３０に食い込む作用も期待でき、一層餌部材３０の移動を抑えることができる。
【００３２】
加えて、餌部材３０は平面部１１ｃ，１２ｃにて挟持固定されることから、平面部１１ｃ，１２ｃが無い場合には、外形略円柱形状となる第１及び第２部材１１，１２との接触面積が小さくなり、餌部材３０の挟持固定効果が小さくなるが、平面部１１ｃ，１２ｃにて挟持固定することにより、接触面積を大きくして餌部材３０の挟持固定効果を高めることができる。
【００３３】
また、図３に示すように、歯垢除去部２２は、ストレート部１１ａ，１２ａのうち互いの接触側と反対側（すなわち外側）の部位である。すなわち、歯垢除去部２２は、餌収納部位２１の外周側に位置する。このため、餌部材３０に惹き寄せられたペットは、餌部材３０を食そうとして餌収納部位２１の外側に位置する歯垢除去部２２を噛むこととなる。
【００３４】
ここで、歯垢除去部２２は、餌収納部位２１と同様にブラシ１４にて構成されていることから、ペットが歯垢除去部２２を噛む行為により、歯垢除去部２２のブラシ１４によってブラッシングされ、飼い主によるブラッシングの手間が省略され、且つ、ブラシ１４による歯垢除去効果の向上を図ることができる。
【００３５】
さらに、餌収納部位２１と、その外周側の歯垢除去部２２とがブラシ１４にて形成されることから、ブラシ１４の隙間を通じて餌部材３０から臭いを発することができ、特許文献１に記載のペット用歯ブラシよりもより好適に臭いを発することができる。
【００３６】
次に、本実施形態に係るペット用歯ブラシ１の使用方法を説明する。まず、図１に示す状態のペット用歯ブラシ１から、紐２０を取り外す。これにより、第１部材１１、第２部材１２、及び紐２０をばらばらの状態とする。
【００３７】
次に、第１部材１１及び第２部材１２のいずれか一方の平面部１１ｃ，１２ｃに餌部材３０を載置する。そして、一方の平面部１１ｃ，１２ｃに蓋をするようにして、他方の平面部１１ｃ，１２ｃを載置する。
【００３８】
その後、第１及び第２部材１１，１２の外周側に輪を作った状態で紐２０により縛ることにより、第１及び第２部材１１，１２を連結する。これにより、餌部材３０がブラシ１４の毛の各先端によって複数点支持され、且つ、先端が餌部材３０に食い込むこととなる。
【００３９】
この際、紐２０は、ストレート部１１ａ，１２ａの両端に位置させることにより、ストレート部１１ａ，１２ａの平面部１１ｃ，１２ｃのどの位置に餌部材３０を置いても餌部材３０が外れ難いようにすることができる。しかも、紐２０は、ストレート部１１ａ，１２ａ内をスライド移動する可能性があるが、ストレート部１１ａ，１２ａ自体がブラシ１４により形成されていることから、ブラシ１４との接触によって移動が規制される。これにより、ペットの歯磨き中に紐２０がスライド移動して餌部材３０が外れてしまう事態についても防止することができる。加えて、紐２０は拡大部１１ｂ，１２ｂによりストレート部１１ａ，１２ａよりも外方に移動することがなく、紐２０が外れて餌部材３０が取り出されてしまう可能性についても低減することができる。
【００４０】
このようにして、本実施形態に係るペット用歯ブラシ１によれば、内部に餌部材３０を収納する餌収納部位２１を備えるため、餌収納部位２１から漏れだす臭いによりペットを惹くことができ、ペットがペット用歯ブラシ１を噛むことから、飼い主自らがブラッシングすることなく、飼い主の手間を軽減することができる。
【００４１】
また、餌収納部位２１は、内側に向かって伸びて餌部材３０を挟持固定するためのブラシ１４が形成されているため、餌部材３０はブラシ１４によって複数点にて挟持固定されることとなり、餌部材３０の移動を抑えることができる。特に、ブラシ１４にて挟持固定することから、ブラシ１４が餌部材３０に食い込む作用も期待でき、一層餌部材３０の移動を抑えることができる。
【００４２】
従って、飼い主の手間を軽減すると共に、餌部材３０が取り出されてしまう可能性を低減することができる。
【００４３】
また、餌収納部位２１の外周側の歯垢除去部２２がブラシ１４により構成されているため、ペットが噛むと予測される餌収納部位２１の外側をブラシ１４により構成することとなり、ブラシ１４による歯垢除去効果の向上を図ることができる。さらに、餌収納部位２１と、その外周側の歯垢除去部２２とがブラシ１４にて形成されることから、ブラシ１４の隙間を通じて餌部材３０から臭いを発することができ、餌部材３０の臭いを好適に発することができる。
【００４４】
また、第１及び第２部材１１，１２は、長尺棒状の部材１３を中心にして、その外周側にブラシ１４が伸びて形成された外形略円柱形状の部位を有し、外形略円柱形状の側面同士が接触するように連結された際に、互いのブラシ１４が接触する側が餌収納部位２１となる。このように構成されるため、ブラシ１４で構成される餌収納部位２１と、ブラシで構成される歯垢除去部２２とを比較的容易に形成することができる。
【００４５】
次に、本発明の第２実施形態を説明する。第２実施形態に係るペット用歯ブラシは第１実施形態のものと同様であるが、構成が一部異なっている。以下、第１実施形態との相違点のみを説明する。
【００４６】
図５は、第２実施形態に係るペット用歯ブラシを示す正面図である。図５に示すペット用歯ブラシ２は、紐２０に代えて、天然ゴムを主原料としたカバー部材４０により形成されている。
【００４７】
カバー部材４０は、内部が中空である略球状の部材であって、開口部４１が形成されて中空部４２と外部とが連通した状態となっている。このようなカバー部材４０は、第１及び第２部材１１，１２の拡大部１１ｂ，１２ｂを包み込むだけの内部容積を有しており、第１部材１１と第２部材１２とを連結する際には、外形略円柱形状となるストレート部１１ａ，１２ａの上面及び下面となる端面側に取り付けられることとなる。
【００４８】
このようなペット用歯ブラシ２においては、上記と同様に、第１部材１１、第２部材１２、及びカバー部材４０をばらばらの状態とした後に、第１部材１１及び第２部材１２のいずれか一方の平面部１１ｃ，１２ｃに餌部材３０を載置し、一方の平面部１１ｃ，１２ｃに蓋をするようにして、他方の平面部１１ｃ，１２ｃを載置する。
【００４９】
この状態から、カバー部材４０の開口部４１を押し広げ、双方の拡大部１１ｂ，１２ｂにカバー部材４０を被せる。これにより、第１部材１１と第２部材１２とを連結する。
【００５０】
このようにして、第２実施形態に係るペット用歯ブラシ２によれば、第１実施形態と同様に、飼い主の手間を軽減すると共に、餌部材３０が取り出されてしまう可能性を低減することができ、餌部材３０の臭いを好適に発することができる。また、ブラシ１４で構成される餌収納部位２１と、ブラシで構成される歯垢除去部２２とを比較的容易に形成することができる。
【００５１】
次に、本発明の第３実施形態を説明する。第３実施形態に係るペット用歯ブラシは第１実施形態のものと同様であるが、構成が一部異なっている。以下、第１実施形態との相違点のみを説明する。
【００５２】
図６は、第３実施形態に係るペット用歯ブラシを示す正面図であって、分解状態を示している。図６に示すペット用歯ブラシ３は、第１及び第２部材１１，１２がストレート部１１ａ，１２ａのみによって構成されている。また、紐２０に代えて、連結具（固定具）５０を備えている。
【００５３】
具体的に、第１及び第２部材１１，１２は、端部から長尺棒状の部材１３が露出している。この長尺棒状の部材１３は先端が折り曲げられてフック１３ａを形成している。
【００５４】
連結具５０は、図１に示した拡大部１１ｂ，１２ｂを一体化したような部材である。この連結具５０は、第１及び第２部材１１，１２と同様に、２本の長尺な鋼材に毛を挟んで捩ることにより作成された第１連結具５１と第２連結具５２とを、他の鋼材で接続した構造となっている。従って、この連結具５０についてもブラシ１４で形成されることとなる。
【００５５】
また、連結具５０は、第１及び第２部材１１，１２の形状に合致する凹部５０ａが形成されており、この凹部５０ａ内において鋼材が露出している。鋼材は、先端が折り曲げられた状態で露出しており、フック５０ｂを形成している。
【００５６】
このようなペット用歯ブラシ３においては、まず上記と同様に、第１部材１１、第２部材１２、連結具５０がばらばらとされる。そして、第１部材１１及び第２部材１２のいずれか一方の平面部１１ｃ，１２ｃに餌部材３０を載置し、一方の平面部１１ｃ，１２ｃに蓋をするようにして、他方の平面部１１ｃ，１２ｃを載置する。
【００５７】
次に、連結具５０の凹部５０ａに第１及び第２部材１１，１２を嵌め込む。この嵌め込む過程において、フック１３ａ，５０ｂ同士が弾性変形を経て引っ掛かることとなる。これにより、第１部材１１と第２部材１２とを連結する。
【００５８】
このようにして、第３実施形態に係るペット用歯ブラシ３によれば、第１実施形態と同様に、飼い主の手間を軽減すると共に、餌部材３０が取り出されてしまう可能性を低減することができ、餌部材３０の臭いを好適に発することができる。また、ブラシ１４で構成される餌収納部位２１と、ブラシで構成される歯垢除去部２２とを比較的容易に形成することができる。
【００５９】
また、第３実施形態によれば、第１及び第２部材１１，１２を連結して固定する固定具５０がブラシ１４により構成されているため、たとえペットが歯垢除去部２２を噛まずに連結具５０を噛んだとしても、連結具５０によっても歯垢除去効果を期待することができる。
【００６０】
また、連結具５０は、外形略円柱形状の上面及び下面となる端面に取り付けられているため、歯垢除去部２２を連結具５０にて覆うことがなく、歯垢除去効果の低下を抑制することができる。
【００６１】
以上、実施形態に基づき本発明を説明したが、本発明は上記実施形態に限られるものではなく、本発明の趣旨を逸脱しない範囲で、変更を加えてもよいし、各実施形態を組み合わせてもよい。
【００６２】
例えば、上記ペット用歯ブラシ１〜３は、餌収納部位２１のみがブラシ１４であれば歯垢除去部２２がブラシ１４でなくともよい。さらに、餌収納部位２１は、第１部材１１と第２部材１２とを連結することによって形成されるが、これに限らず、３つ以上の部品を連結することにより形成されてもよい。
【００６３】
また、第１及び第２部材１１，１２は平面部１１ｃ，１２ｃを有していなくともよいし、さらには、上記の如く製造されるものに限らず、例えば１本の鋼材等に直接ブラシ１４を接着等により形成してもよい。
【符号の説明】
【００６４】
１〜３…ペット用歯ブラシ
１１…第１部材
１２…第２部材
１１ａ，１２ａ…ストレート部
１１ｂ，１２ｂ…拡大部
１１ｃ，１２ｃ…平面部
１３…長尺棒状の部材
１３ａ…フック
１４…ブラシ
２１…餌収納部位
２２…歯垢除去部
３０…餌部材
４０…カバー部材
４１…開口部
４２…中空部
５０…連結具（固定具）
５１…第１連結具
５２…第２連結具
５０ａ…凹部
５０ｂ…フック
【図１】
2015043925.tif 000003
【図２】
2015043925.tif 000004
【図３】
2015043925.tif 000005
【図４】
2015043925.tif 000006
【図５】
2015043925.tif 000007
【図６】
2015043925.tif 000008